(57)【特許請求の範囲】
【請求項１】
天板及び脚部を備えたデスクの周辺に配設して使用されるデスクサイド什器であって、
床面上に載置された一方向に幅広なベース体と、
該ベース体の前記一方向の寸法よりも短寸な該一方向の寸法とされ、内部に物品を収納可能とされた上部収納体と、
前記ベース体の上面における前記上部収納体を載置する部分以外の部分に載置して、着座可能な腰掛部とを備え、
前記上部収納体は前記ベース体の前記一方向の一端部側と他端部側とのいずれかの位置に選択的に載置可能とされるとともに、前記上部収納体を前記天板の下方に配置可能とされ、
前記上部収納体が前記ベース体の前記一端部側の位置に載置される場合には、前記腰掛部は前記ベース体の前記他端部側の位置に載置可能とされ、
前記上部収納体が前記ベース体の前記他端部側の位置に載置される場合には、前記腰掛部は前記ベース体の前記一端部側の位置に載置可能とされていることを特徴とするデスクサイド什器。
【請求項２】
請求項１に記載のデスクサイド什器において、
前記上部収納体は、平面視において正方形に形成されているとともに、その一辺をなす側面を開口部として箱状に形成され、
前記上部収納体は、前記開口部を水平方向において前記ベース体の前記一方向に直交する方向と該一方向とに向けて、前記ベース体に選択的に載置可能とされていることを特徴とするデスクサイド什器。
【請求項３】
請求項１または請求項２に記載のデスクサイド什器において、
前記ベース体は、その下面に、該デスクサイド什器を前記床面上にて移動可能とするキャスターを有していることを特徴とするデスクサイド什器。
【請求項４】
デスクと、
請求項１から請求項３のいずれか一項に記載のデスクサイド什器とを備え、
該デスクサイド什器は、前記デスクの天板下方の空間内に前記上部収納体を挿入配置して設置可能とされていることを特徴とするデスクシステム。
【発明の詳細な説明】
【技術分野】
【０００１】
本発明は、デスクサイド什器及びデスクシステムに関するものである。
【背景技術】
【０００２】
一般に、会社や事務所等で使用される執務者用のデスクとしては、床面上に設けられた脚部と、該脚部の上に設けられ作業面として使用される天板とを備えるものが広く用いられている。そして、執務者は該デスクの前方に設置された椅子に座り、天板上で執務をすることができる。
このようなデスクにおいては、天板の下方に形成される空間のうち執務者が着座する空間部分に該執務者の下肢が収容され、他の空間部分に物品を収容可能とされたワゴンが配設されるケースが多く見られる。この場合、執務者は着座位置の近辺に執務に必要な物品を収容できるとともに、該天板の下方空間を有効活用することができるというメリットがある。
【０００３】
一方、近年では、執務者用のデスクとして、一方向に長寸な幅広形状の天板を有するデスクが採用されている（下記特許文献１参照）。このような幅広形状のデスクでは、該デスクの手前側に複数の執務者が幅方向に間隔を有して座り、天板を共有使用して執務をするという態様が採られる。
【０００４】
ここで、執務者各人の占有スペースとなる幅方向の空間を区切る手段として、前述のワゴンが利用されている。すなわち、該ワゴンを占有スペースの境界線上に配設することにより、執務者各人は天板の下方に物品を収容できるとともに、各人の占有スペースを明確にすることができる。
また、会社の組織変更や人事異動等による執務者人数に増減が生じた場合には、当該ワゴンを移動させることにより占有スペースを適宜変更することができるため、柔軟に対応することができ、非常に高い利便性を得ることができる。
【先行技術文献】
【特許文献】
【０００５】
【特許文献１】特開２００９−１７２３０３号公報
【発明の概要】
【発明が解決しようとする課題】
【０００６】
ところで、会社等においては、執務者と打ち合わせをする訪問者が該執務者の着座箇所に訪れる場合があり、こういった場合に前述のワゴンでは収納機能のみを有し着座機能を有していないため、当該執務者及び訪問者は移動して他の場所で打ち合わせをしなくてならなかった。または、執務者着座箇所の近辺に、訪問者が座るための椅子を別途用意して打ち合わせをしなくてはならなかった。いずれにしても、手間が生じ不便であるため、使い勝手の良いワゴンが望まれていた。
【０００７】
本発明は、上記事情に鑑みてなされたものであり、什器として使い勝手を良好とすることができるとともに、配置変更にも柔軟に対応することができるデスクサイド什器及びデスクシステムを提供するものである。
【課題を解決するための手段】
【０００８】
上記目的を達成するために、本発明は以下の手段を採用している。
すなわち、本発明に係るデスクサイド什器は、天板及び脚部を備えたデスクの周辺に配設して使用されるデスクサイド什器であって、床面上に載置された一方向に幅広なベース体と、該ベース体の前記一方向の寸法よりも短寸な該一方向の寸法とされ、内部に物品を収納可能とされた上部収納体と、前記ベース体の上面における前記上部収納体を載置する部分以外の部分に載置して、着座可能な腰掛部とを備え、前記上部収納体は前記ベース体の前記一方向の一端部側と他端部側とのいずれかの位置に選択的に載置可能とされるとともに、前記上部収納体を前記天板の下方に配置可能とされ、前記上部収納体が前記ベース体の前記一端部側の位置に載置される場合には、前記腰掛部は前記ベース体の前記他端部側の位置に載置可能とされ、前記上部収納体が前記ベース体の前記他端部側の位置に載置される場合には、前記腰掛部は前記ベース体の前記一端部側の位置に載置可能とされていることを特徴とする。
【０００９】
このようなデスクサイド什器では、執務者が上部収納体をベース体の一端部側に載置するかまたは他端部側に載置するかを選択することができる。よって、執務者は、デスクとデスクサイド什器との配置関係や使い勝手に応じて上部収納体の載置位置を選択できるため、什器としての使い勝手を良好とするとともに、配置変更にも柔軟に対応することができる。
また、上部収納体をデスクの天板の下方に配置することができるため、該天板の下方の空間を有効活用することができる。
また、腰掛部に腰掛けることができるため、什器としての使い勝手を良好とすることができる。
また、腰掛部は上部収納体とともに選択的に載置することができるため、什器としての使い勝手を良好とするとともに、配置変更にも柔軟に対応することができる。
【００１２】
さらに、前記上部収納体は、平面視において正方形に形成されているとともに、その一辺をなす側面を開口部として箱状に形成され、前記上部収納体は、前記開口部を水平方向において前記ベース体の前記一方向に直交する方向と該一方向とに向けて、前記ベース体に選択的に載置可能とされていることが好ましい。
【００１３】
これにより、執務者は、上部収納体の開口部を一方向に直交する方向に向けるかまたは一方向に向けるかを選択することができる。よって、執務者は、デスクとデスクサイド什器との配置関係や使い勝手に応じて上部収納体の開口部の方向を選択することができるため、什器としての使い勝手を良好とするとともに、配置変更にも柔軟に対応することができる。
【００１４】
また、前記ベース体は、その下面に、該デスクサイド什器を前記床面上にて移動可能とするキャスターを有していてもよい。
【００１５】
これにより、デスクサイド什器は床面上を移動可能であるため、配置変更にも柔軟に対応することができる。
【００１６】
また、本発明に係るデスクシステムは、デスクと、上記のうちのいずれか一に記載のデスクサイド什器とを備え、該デスクサイド什器は、前記デスクの天板下方の空間内に前記上部収納体を挿入配置して設置可能とされていることを特徴とする。
【００１７】
この構成によれば、上記のうちのいずれか一に記載のデスクサイド什器を備えるため、什器として使い勝手を良好とすることができるとともに、配置変更にも柔軟に対応することができるデスクサイドシステムとすることができる。
【発明の効果】
【００２６】
本発明に係るデスクサイド什器及びデスクシステムによれば、什器として使い勝手を良好とすることができるとともに、配置変更にも柔軟に対応することができる。
【図面の簡単な説明】
【００２７】
【図１】本発明の一実施形態に係るデスクシステムの概略全体図である。
【図２】本発明の第一実施形態に係るデスクサイド什器の概略斜視図である。
【図３】本発明の第一実施形態に係るデスクサイド什器をベース体、上部収納体及び腰掛部に分解した図である。
【図４】本発明の第一実施形態に係るデスクサイド什器の上部収納体の（ａ）正面図、（ｂ）側面図である。
【図５】本発明の第一実施形態に係るデスクサイド什器の腰掛部の（ａ）底面図、（ｂ）断面図である。
【図６】本発明の一実施形態に係るデスクシステムにおいて、デスクサイド什器の配置位置を変更した概略全体図である。
【図７】本発明の第一実施形態に係るデスクサイド什器に腰掛けた場合及び第三実施形態を説明する上面図である。
【図８】本発明の第二実施形態に係るデスクサイド什器の概略斜視図である。
【図９】本発明の第四実施形態に係るデスクサイド什器に腰掛けた場合の正面図である。
【図１０】本発明の第五実施形態に係るデスクサイド什器のベース体と上部収納体（腰掛部）の固定方法を示す部分拡大図である。
【図１１】本発明の参考例に係るデスクサイド什器を第一ベース体、第二ベース体に分解した図である。
【発明を実施するための形態】
【００２８】
（第一実施形態）
以下、本発明の第一実施形態に係るデスクシステム１について説明する。
図１は、本発明の実施形態に係るデスクシステム１の概略全体図である。
デスクシステム１は、図１に示すように、上面を作業面とされて幅広なデスク１１と、該デスク１１の前方に配設された椅子２１と、デスク１１の下方に配設されたデスクサイド什器２とを備えている。
なお、図１に示すように、デスク１１の幅方向をＡ−Ｂ方向、デスク１１の奥行き方向をＣ−Ｄ方向とする。
【００２９】
デスク１１は、床面Ｆ上に設置された一対の門型の脚部１２と、該脚部１２の上部に載置された天板１３と、一対の脚部１２間に横架された横架部材（不図示。以下同じ。）とを備えている。
脚部１２は、床面Ｆから立設する一対の脚本体１６と、該脚本体１６の上部を連結する連結杆１７とを有しており、天板１３のＡ−Ｂ方向の両端部に設けられている。
天板１３は、上面が床面Ｆと平行な作業面とされ、Ａ−Ｂ方向に長寸法な幅広形状に形成されている。また、天板１３には、その上面のＣ−Ｄ方向の略中央にＡ−Ｂ方向に延在する天板用仕切板１９が設けられている。天板用仕切板１９は、例えばアクリル樹脂等の半透明樹脂から形成されている。
なお、デスク１１の天板１３の上面には、内部に物品収納部８１を有し、下部に支持脚８２が設けられた箱体８０が複数配設されている。
【００３０】
椅子２１は、床面Ｆに設置され移動可能とされた椅子用キャスター２６が設けられた椅子用脚部２２と、該椅子用脚部２２の上部に設けられ着座可能な座部２３と、該座部２３の端部より立設する背もたれ部２４と、座部２３の側方に配設された肘掛部２５とを有している。
また、椅子２１は、デスク１１のＣ側及びＤ側に、それぞれ３個ずつ計６個配設されている。
このようなデスク１１及び椅子２１では、デスク１１のＣ側、Ｄ側にそれぞれ３人の執務者をＡ−Ｂ方向に所定の間隔を有して椅子２１に着座可能とし、天板１３を共有して執務可能としている。
【００３１】
次に、デスクサイド什器２について詳細に説明する。
図２に示すように、デスクサイド什器２は、床面Ｆ上に載置されたベース体３１と、該ベース体３１の上方に載置された上部収納体５１と、該ベース体３１の上方であって上部収納体５１と隣接載置された腰掛部７１とを備えている。
また、図１に示すように、デスクサイド什器２は、デスク１１の天板１３の下方の空間内に上部収納体５１を挿入して設置されている。
ここで、デスクサイド什器２の幅方向（一方向）を図２に示すＳ−Ｔ方向と、奥行き方向（一方向に直交する方向）をＵ−Ｖ方向とする。
【００３２】
図３に示すように、ベース体３１は、箱状のベース本体４１と、該ベース本体４１の下面に設けられたベース用キャスター４８とを有している。
【００３３】
ベース本体４１は、図１に示すように着座する執務者側が開口部４２とされた箱状部材であり、Ｓ−Ｔ方向に幅広として形成されている。また、図３に示すように、ベース本体４１は、下面を形成する略矩形のベース用底板４３と、該ベース用底板４３から立設する一対のベース用側板４４及びベース用背板４５と、該ベース用側板４４及びベース用背板４５の上部に設けられたベース用天板４６と、ベース用底板４３のＳ−Ｔ方向略中央から立設するベース用仕切板４７とを有している。
ベース用天板４６の上面には、上部収納体５１及び腰掛部７１取り付け用のベース取付穴部４９が複数設けられている。本実施形態では、Ｕ−Ｖ方向に間隔を有して２個、Ｓ−Ｔ方向に間隔を有して５個の計１０個の穴部（Ｈ〜Ｑ）が設けられている。
【００３４】
ベース用キャスター４８は、デスクサイド什器２を床面Ｆ上にて移動可能とし、ベース用底板４３の下面に複数設けられ、本実施形態では、Ｕ−Ｖ方向に間隔を有して２箇所、Ｓ−Ｔ方向に間隔を有して３箇所の計６箇所設けられている。また、ベース用キャスター４８として、本実施形態では低床式ベース用キャスターが採用されている。
【００３５】
上部収納体５１は、ベース本体４１と同様に着座する執務者側が開口部５２とされ、内部に物品を収納可能とされた箱状部材である。また、図２に示すように、そのＳ−Ｔ方向の寸法がベース本体４１のＳ−Ｔ方向の寸法よりも短寸とされ、Ｕ−Ｖ方向の寸法はベース本体４１のＵ−Ｖ方向の寸法と略同一である。
また、図３に示すように、上部収納体５１は、下面を形成する略矩形の収納体用底板５３と、該収納体用底板５３から立設する一対の収納体用側板５４及び収納体用背板５５と、該収納体用側板５４及び収納体用背板５５の上部に設けられた収納体用天板５６と、収納体用底板５３と収納体用天板５６との間に配設された収納体用棚板５７とを有している。
図４に示すように、一対の収納体用側板５４の内面には、奥行き方向に離間して一対のスリット穴６１がそれぞれ設けられ、該スリット穴６１に棚板取付部材６２の一端が挿入されるとともに、他端がスリット穴６１から内方に向かって突出し、該突出した部分に収納体用棚板５７が載置されることにより、収納体用棚板５７が上部収納体５１内部に配設されている。
また、収納体用底板５３の下面には、下向きに突出するベース本体４１取り付け用の第一ダボ５９が複数設けられている。本実施形態では、Ｕ−Ｖ方向に間隔を有してそれぞれ２箇個、Ｓ−Ｔ方向に間隔を有して２個の計４個の第一ダボ５９が設けられている。そして、当該第一ダボ５９は、図３に示すベース本体４１のベース用天板４６の上面に設けられたベース取付穴部４９の（Ｈ，Ｉ，Ｍ，Ｎ）に挿入されることにより、図２に示すように上部収納体５１はベース体３１に対してＳ−Ｔ方向のＳ側の端部（一端部）及びＵ−Ｖ方向の両端部を揃えて載置されている。
【００３６】
図２に示すように、腰掛部７１は板状部材であり、そのＳ−Ｔ向の寸法がベース本体４１のＳ−Ｔ方向の寸法よりも短寸とされ、Ｕ−Ｖ方向の寸法はベース本体４１のＵ−Ｖ方向の寸法と略同一として構成され、ベース本体４１の上方であって上部収納体５１に隣接して載置されている。
また、図５に示すように、腰掛部７１はベース本体４１の上面に載置される下部材７２と、該下部材７２の上方に積層され着座可能とされた上部材７３とを有している。
下部材７２には、下向きに突出するベース本体４１取り付け用の第二ダボ７９が複数設けられている。本実施形態では、腰掛部７１のＵ−Ｖ方向に間隔を有して２個、Ｓ−Ｔ方向に間隔を有して２個の計４個の第二ダボ７９が設けられている。そして、当該第二ダボ７９は、図３に示すベース本体４１のベース用天板４６の上面に設けられたベース取付穴部４９の（Ｊ，Ｌ，Ｏ，Ｑ）に挿入されることにより、図２に示すように腰掛部７１はベース体３１に対してＳ−Ｔ方向のＴ側の端部（他端部）及びＵ−Ｖ方向の両端部を揃えて載置されている。
また、本実施形態では、図５に示すように、下部材７２はベニア合板で構成されるとともに、その下面から上方に向かって鬼目ナット７５が設けられ、該鬼目ナット７５にネジ７６が挿入されることにより、該ネジ７６の頭部を第二ダボ７９として構成されている。また、上部材７３は、例えばウレタン等のクッション材で構成されている。
なお、本実施形態では、図２に示すように、腰掛部７１と上部収納体５１とのＳ−Ｔ方向の寸法は、腰掛部７１のＳ−Ｔ方向の寸法の方が大とされている。
【００３７】
また、図３に示すように、上部収納体５１の第一ダボ５９（図４参照）をベース本体４１のベース用天板４６の上面に設けられたベース取付穴部４９の（Ｋ，Ｌ，Ｐ，Ｑ）に挿入するとともに、腰掛部７１の第二ダボ７９（図５参照）をベース本体４１のベース用天板４６上面に設けられたベース取付穴部４９の（Ｈ，Ｊ，Ｍ，Ｏ）に挿入することもできる。この場合は、上部収納体５１はベース体３１のＴ側の端部（他端部）に、腰掛部７１はベース体３１のＳ側の端部（一端部）にそれぞれ揃えて載置される。
【００３８】
このように構成されたデスクシステム１では、上部収納体５１及び腰掛部７１をベース体３１のＳ−Ｔ方向のＳ側またはＴ側に選択的に載置することができる。
具体的には、図１に示すように、椅子２１に着座する執務者のデスク１１に向かって右側にデスクサイド什器２を載置する場合には、図２に示す構成のデスクサイド什器２とすることで、上部収納体５１をデスク１１の天板１３の下方に配置することができるとともに、腰掛部７１を天板１３の手前側に設けることできる。
一方、図６に示すように、椅子２１に着座する執務者のデスク１１に向かって左側にデスクサイド什器２を載置する場合には、図２とＳ−Ｔ方向反転にした構成のデスクサイド什器２とすることで、上部収納体５１をデスク１１の天板１３の下方に配置することができるとともに、腰掛部７１を天板１３の手前側に設けることできる。
以上のように、執務者は、デスク１１とデスクサイド什器２との配置関係や使い勝手に応じて、上部収納体５１及び腰掛部７１の載置位置を適宜選択できるため、什器としての使い勝手を良好とするとともに、配置変更にも柔軟に対応することができる。
【００３９】
また、ベース体３１にはベース用キャスター４８が設けられているため、執務者は容易にデスクサイド什器２を移動することができるためには、配置変更にも柔軟に対応することができる。
【００４０】
また、上部収納体５１をデスク１１の天板１３の下方に配置することができるため、天板１３の下方の空間を有効利用することができとともに、執務空間における収納スペースを確保することができる。
【００４１】
また、椅子２１に着座する執務者と打ち合わせのある訪問者が訪れた場合には、該訪問者は腰掛部７１に着座して打ち合わせをすることができるため、什器としての使い勝手を良好とすることができる。
また、腰掛部７１と上部収納体５１との幅方向の寸法は、腰掛部７１の幅方向の寸法の方が大とされているため、図７に示すように、訪問者Ｚが腰掛部７１に着座して脚をデスク１１の下方に配設する場合に、該脚と上部収納体５１とが接触することがなく快適な体勢で着座することができる。
【００４２】
（第二実施形態）
以下、本発明の第二実施形態に係るデスクサイド什器２０２ついて、図８を用いて説明する。
この実施形態において、前述した実施形態で用いた部材と共通の部材には同一の符号を付して、その説明を省略する。
【００４３】
第一実施形態におけるデスクサイド什器２では、図２に示すように上部収納体５１のＵ−Ｖ方向のＶ側が開口部５２とされているが、本実施形態では、図２及び図８に示すようにＵ−Ｖ方向のＶ側及びＳ−Ｔ方向のＴ側が選択的に開口部２４２とされる。
【００４４】
すなわち、図８に示すように、デスクサイド什器２０２の上部収納体２５１は、そのＳ−Ｔ方向の寸法及びＵ−Ｖ方向の寸法が同一で形成され、換言すると平面視において正方形に形成されている。
【００４５】
このように構成されたデスクシステム２０１では、上部収納体２５１がその開口部２４２をＵ−Ｖ方向のＶ側、Ｓ−Ｔ方向のＴ側に向けて選択的に載置可能とされている。よって、執務者の上部収納体２５１の開口部２４２へのアクセスの要望に応じて、該上部収納体２５１の載置方向を選択することができ、使い勝手を良好とするとともに、配置変更にも柔軟に対応することができる。
【００４６】
（第三実施形態）
以下、本発明の第三実施形態に係るデスクサイド什器３０２ついて、図７を用いて説明する。
この実施形態において、前述した実施形態で用いた部材と共通の部材には同一の符号を付して、その説明を省略する。
【００４７】
第一実施形態におけるデスクサイド什器２では、図２に示すように上部収納体５１の開口部４２は奥行き方向の一方側にのみ設けられていたが、図７に示すように本実施形態では奥行き方向の両方側に設けられている。
【００４８】
すなわち、上部収納体は、収納体用底板の奥行き方向略中央から立設する分割板３５０で奥行き方向一方側と他方側とに分割されている。
このように構成された上部収納体３５１では、執務者がＥ側及びＦ側からアクセス可能となる。よって、デスクサイド什器３０２を挟んで二人の執務者が物品を収納することができるため、収納面での利便性を高めることができる。
【００４９】
（第四実施形態）
以下、本発明の第四実施形態に係るデスクサイド什器４０２ついて、図９を用いて説明する。
この実施形態において、前述した実施形態で用いた部材と共通の部材には同一の符号を付して、その説明を省略する。
【００５０】
第一実施形態におけるデスクサイド什器２では、図２に示すように腰掛部７１の奥行き方向の端部及び幅方向の端部はベース体３１の端部と揃えて載置されていた。一方、本実施形態では、図９に示すように、幅方向の端部がベース体３１の端部よりも突出している。
【００５１】
すなわち、腰掛部４７１はＳ−Ｔ方向のＳ側の端部は上部収納体５１に当接するとともに、Ｔ側の端部は正面視してベース体３１の端部よりも突出している。
このように構成されたデスクサイド什器４０２では、訪問者Ｚは腰掛部４７１に着座する際には、膝下Ｚ１を腰掛部４７１の突出部分の下方に配設することができるため、快適な姿勢で着座することができる。
【００５２】
（第五実施形態）
以下、本発明の第五実施形態に係るデスクサイド什器５０２ついて、図１０を用いて説明する。
この実施形態において、前述した実施形態で用いた部材と共通の部材には同一の符号を付して、その説明を省略する。
【００５３】
第一実施形態におけるデスクサイド什器２では、図３に示すように上部収納体５１及び腰掛部７１はベース体３１に対して、該ベース体３１のベース取付穴部４９に第一ダボ５９及び第二ダボ７９が挿入されることにより固定されている。一方、本実施形態では、図１０に示すように、支持ピン５８６により固定されている。
【００５４】
すなわち、上部収納体５５１及び腰掛部５７１の下面には、支持金具５８１が皿ネジ５８２により固定されるとともに凹穴部５８３が設けられ、該凹穴部５８３には下端に鍔部を有する雌ネジ筒５８４が圧嵌されている。そして、上部に雄ネジ部５８５を有する支持ピン５８６は、該雌ネジ筒５８４に螺合されるとともに、該支持金具５８１の下部に設けられたつまみ部５８７により緊締されている。すなわち、支持ピン５８６の突出高さを任意の位置に調整し、つまみ部５８７を底面視時計回りに回転すると、その内周部側の上面が雌ネジ筒５８４の下面に圧着することにより、支持ピン５８６の雌ネジ筒５８４に対する回動が阻止されて緊締される。
また、該支持ピン５８６の下端部はテーパ状に形成され、ベース体５３１の上面に設けられた取付穴５８８に嵌合された支持筒５８９に挿入配置されている。
【００５５】
このように構成されたデスクサイド什器５０２では、支持ピン５８６の突出長さを調整することにより、上部収納体５５１及び腰掛部５７１の高さを調整することができるとともに、該上部収納体５５１及び腰掛部５７１をベース体５３１に対して確実に固定することができる。
【００５６】
（参考例）
以下、本発明の参考例に係るデスクサイド什器６０２ついて、図１１を用いて説明する。
この参考例において、前述した実施形態で用いた部材と共通の部材には同一の符号を付して、その説明を省略する。
【００５７】
第一実施形態におけるデスクサイド什器２では、図３に示すように物品を収納する部分は、ベース体３１と上部収納体５１とから構成されている。一方、本参考例に係るデスクサイド什器６０２では、図１１に示すように物品を収納する部分は第一ベース体６３１と第二ベース体６５１とから構成されている。
【００５８】
すなわち、デスクサイド什器６０２は、床面Ｆ上に載置された第一ベース体６３１と、該第一ベース体６３１のＳ−Ｔ方向Ｔ側に配設され第一ベース体６３１よりも短尺な高さ寸法とされた第二ベース体６５１と、第二ベース体６５１の上方であって第一ベース体６３１と隣接載置された腰掛部７１とを備えている。
また、デスクサイド什器６０２は、図１に示すデスク１１の天板１３の下方の空間内に第一ベース体６３１を挿入して設置されている（不図示）。すなわち、図１に示すデスク１１の奥行き方向Ｃ−Ｄ方向が、図１１に示すデスクサイド什器６０２の幅方向Ｓ−Ｔ方向と同一とされており、デスク１１の天板１３の一の辺に沿う方向は、図１に示すＣ−Ｄ方向であり、かつ図１１に示すＳ−Ｔ方向である。
【００５９】
第一ベース体６３１は、箱状の第一ベース本体６３０と、該第一ベース本体６３０の下面に設けられたベース用キャスター４８とを有している。
【００６０】
第一ベース本体６３０は、一方側（Ｕ−Ｖ方向のＶ方向）が開口部６３２とされた箱状部材であり、下面を形成する第一ベース用底板６３３と、該第一ベース用底板６３３から立設する一対の第一ベース用側板６３４ａ，６３４ｂ及び第一ベース用背板６３５と、該第一ベース用側板６３４ａ，６３４ｂ及び第一ベース用背板６３５の上部に設けられた第一ベース用天板６３６と、第一ベース用底板６３３と第一ベース用天板６３６との間に配設された第一ベース用棚板６３７とを有している。また、第一ベース体６３１は、一対の第一ベース用側板６３４ａ，６３４ｂ間で囲まれた空間において物品を収納可能とされている。
【００６１】
ベース用キャスター４８は、デスクサイド什器６０２を床面Ｆ上にて移動可能とし、第一ベース用底板６３３の下面に複数に設けられ、本参考例では、Ｕ−Ｖ方向に間隔を有して２箇所、Ｓ−Ｔ方向に間隔を有して２箇所の計４箇所設けられている。
【００６２】
第二ベース体６５１は、箱状の第二ベース本体６５０と、該第二ベース本体６５０の下面に設けられたベース用キャスター４８とを有している。
【００６３】
第二ベース本体６５０は、一方側（Ｕ−Ｖ方向のＶ方向）が開口部６６２とされた箱状部材であり、下面を形成する第二ベース用底板６６３と、該第二ベース用底板６６３から立設する一対の第二ベース用側板６６４ａ，６６４ｂ及び第二ベース用背板６６５と、該第二ベース用側板６６４ａ，６６４ｂ及び第二ベース用背板６６５の上部に設けられた第二ベース用天板６６６とを有している。また、第二ベース体６５１は、一対の第二ベース用側板６６４ａ，６６４ｂ間で囲まれた空間において物品を収納可能とされている。
【００６４】
ベース用キャスター４８は、デスクサイド什器６０２を床面Ｆ上にて移動可能とし、第二ベース用底板６６３の下面に複数に設けられ、本参考例では、Ｕ−Ｖ方向に間隔を有して２箇所、Ｓ−Ｔ方向に間隔を有して２箇所の計４箇所設けられている。
【００６５】
また、第一ベース体６３１と第二ベース体６５１とのＵ−Ｖ方向の寸法は同一とされており、第一ベース体６３１と第二ベース体６５１とは、第一ベース用側板６３４ｂを第二ベース用側板６６４ａに当接させて連結されている。また、第一ベース用側板６３４ｂと第二ベース用側板６６４ａとは、例えばボルト６１１とナット６１２とにより固定されている。また、第一ベース用側板６３４ｂと第二ベース用側板６６４ａとは、クリップによる固定等適宜選択可能である。あるいは、第一実施形態における上部収納体５１（または腰掛部７１）とベース本体４１との固定のように、ベース取付穴部４９と第一ダボ５９（または第二ダボ７９）との嵌合による固定であってもよい。
また、第一ベース用側板６３４ａ，６３４ｂ及び第二ベース用側板６６４ａ，６６４ｂには、それぞれボルト孔６１３が形成されているため、第一ベース用側板６３４ａを第二ベース用側板６６４ｂに当接させるように、第一ベース体６３１を第二ベース体６５１のＳ−Ｔ方向Ｔ側に配置することもできる。
【００６６】
腰掛部７１は板状部材であって、第二ベース体６５１に載置され、第二ベース用天板６６６とＳ−Ｔ向の寸法及びＵ−Ｖ方向の寸法が略同一とされている。
【００６７】
このように構成されたデスクサイド什器６０２では、第一ベース体６３１及び第二ベース体６５１をＳ−Ｔ方向のＳ側またはＴ側に選択的に配置することができる。よって、執務者は、デスク１１とデスクサイド什器６０２との配置関係や使い勝手に応じて、第一ベース体６３１、第二ベース体６５１の配置位置を選択できるため、什器としての使い勝手を良好とするとともに、配置変更にも柔軟に対応することができる。
【００６８】
また、配置変更の際には、第一ベース体６３１と第二ベース体６５１とを分離させれば容易移動させることができるため、使い勝手を良好とすることができる。
【００６９】
また、上述した実施の形態において示した動作手順、あるいは各構成部材の諸形状や組み合わせ等は一例であって、本発明の主旨から逸脱しない範囲において設計要求等に基づき種々変更可能である。
【００７０】
例えば、第一実施形態及び第五実施形態で示す上部収納体５１，５５１及び腰掛部７１，５７１とベース体３１，５３１の固定方向の他に、上部収納体及び腰掛部をベース体にビス等で固定することとしてもよい。この場合は、上部収納体及び腰掛部を強固に固定することができる。
【００７１】
また、本実施形態では、ベース体３１の上方には上部収納体５１と腰掛部７１が載置されているが、上部収納体５１が載置される箇所に別の腰掛部を載置して、ベース体３１の上方全面を腰掛部とする構成であってもよい。このような構成では、デスクサイド什器を挟んで両側の執務者にそれぞれ訪問者があった場合でも、デスクサイド什器をデスク１１の下方から引き出して、デスクサイド什器の幅方向一方側に一の訪問者が着座し、幅方向他方側に他の訪問者が着座することができる。よって、多くの訪問者が着座可能となり、デスクサイド什器の着座機能の利便性を高めることができる。
【００７２】
また、第四実施形態では、腰掛部４７１の突出部分は幅方向の端部に設けられていたが、奥行き方向の端部に設けてよい。この構成では、訪問者が腰掛部４７１に執務者側に向かって着座する場合に、膝下を突出部分の下方に配設でき、快適な姿勢をとることができる。
【符号の説明】
【００７３】
１，２０１…デスクシステム
２，２０２，３０２，４０２，５０２，６０２…デスクサイド什器
１１…デスク
１２…脚部
１３…      天板
３１，５３１…ベース体
４８…ベース用キャスター
５１，２５１，３５１，５５１…上部収納体
５２…開口部
７１，４７１，５７１…腰掛部
６３１…第一ベース体
６５１…第二ベース体
Ｆ…床面
Ｓ側…一端部側
Ｔ側…他端部側
Ｓ−Ｔ方向…一方向
Ｕ−Ｖ方向…一方向に直交する方向
【図１】
0006027746.tif 000002
【図２】
0006027746.tif 000003
【図３】
0006027746.tif 000004
【図４】
0006027746.tif 000005
【図５】
0006027746.tif 000006
【図６】
0006027746.tif 000007
【図７】
0006027746.tif 000008
【図８】
0006027746.tif 000009
【図９】
0006027746.tif 000010
【図１０】
0006027746.tif 000011
【図１１】
0006027746.tif 000012